(57)【要約】【課題】  耐久性、耐火性、および軽量性という３つの特徴を同時に実現することができる外断熱用外壁部材を提供する。【解決手段】  外断熱用外壁部材１は、酸化マグネシウムを含む外装部材３と、外装材３の主表面に貼り合わせられた断熱部材２とを備えている。外装部材３は、無機繊維材料またはワイヤメッシュ３０によって補強されている。断熱部材２は、有機系もしくは無機系の発泡断熱材または繊維系の断熱材を含んでいる。【選択図】        図１
2006183341.tif 000002
【特許請求の範囲】
【請求項１】
酸化マグネシウムを含む外装部材と、
前記外装部材の主表面に貼り合わせられた断熱部材とを備えた、外断熱用外壁部材。
【請求項２】
前記外装部材は、無機繊維材料またはワイヤメッシュによって補強された、請求項１に記載の外断熱用外壁部材。
【請求項３】
前記断熱部材が、有機系もしくは無機系の発泡断熱材または繊維系の断熱材を含む、請求項１に記載の外断熱用外壁部材。
【請求項４】
躯体に打ち込まれた雌ねじ部を有するインサートに請求項１に記載の外断熱用外壁部材を係止する部材の雄ねじ部を螺合させ、請求項１に記載の外断熱用外壁部材を前記躯体に固定する、外断熱用外壁部材の取付方法。
【請求項５】
前記雄ねじ部の前記雌ねじ部への挿入の程度を調節することにより、前記躯体と前記外断熱用外壁部材との間の距離を調整する、請求項４に記載の外断熱用外壁部材の取付方法。
【発明の詳細な説明】
【技術分野】
【０００１】
本発明は、建築物の構造物の躯体に取付けられる外断熱用外壁部材およびその取付方法に関するものである。
【背景技術】
【０００２】
従来、既存のコンクリート構造物の外側に断熱板が取り付けられた外断熱構造を形成することによって、無断熱構造または内断熱構造よりも断熱性が向上した快適な室内環境を提供し、かつ、省エネルギー効果を高めるための試みが行なわれている。通常、外断熱構造においては、コンクリートの外壁に断熱部材と外装部材とが一体化された複合板が貼り付けられる。
【特許文献１】特開２００２−８１６９０号公報
【発明の開示】
【発明が解決しようとする課題】
【０００３】
従来においては、前述の複合板の耐火性および耐久性を高くするために、複合板の外装部材は、セメント板、金属板、または珪酸カルシウム板などかならっている。そのため、外断熱用外壁部材の重量が非常に大きい。したがって、従来の外断熱用外壁部材を用いた場合には、作業性が悪くなり、外断熱用外壁部材をコンクリート構造物に取り付けるための時間およびコストは大きなものとなっている。
【０００４】
一方、複合板を軽量化するために、外装部材として珪酸カルシウム板等を用いると、外断熱用外装部材の耐火性および耐久性が低くなってしまうため、建築基準法上の防火規定の要件を満足させることができないという問題が生じる。
【０００５】
結局のところ、コンクリート構造物の外断熱構造においては、耐久性、耐火性、および軽量性という３つの特徴を同時に実現することができる複合板が存在しない。したがって、建築物において外断熱用外壁部材が使用された外断熱構造は実現されていない。
【０００６】
本発明は、上述の問題に鑑みてなされたものであり、その目的は、耐久性、耐火性、および軽量性の３つの特徴を兼ね備える外断熱用外壁部材およびその取付方法を提供することである。
【課題を解決するための手段】
【０００７】
本発明の外断熱用外壁部材は、酸化マグネシウムを含む外装部材と、外装部材の主表面に貼り合わせられた断熱部材とを備えている。この構成によれば、耐火性、耐久性および軽量性の３つの観点において従来の珪酸カルシウム板を用いる外断熱用外壁部材よりも優れた外断熱用外壁部材が得られる。
【０００８】
また、外装部材は、無機繊維材料またはワイヤメッシュによって補強されていることが望ましい。この構成によれば、外装部材の強度を向上させることができる。
【０００９】
また、断熱部材が有機系もしくは無機系の発泡断熱材または繊維系の断熱材を含むものであれば、断熱部材の選択の幅が広がる。
【００１０】
本発明の外断熱用外壁部材の取付方法は、躯体に打ち込まれた雌ねじ部を有するインサートに前述の外断熱用外壁部材を係止する部材の雄ねじ部を螺合させ、前述の外断熱用外壁部材を躯体に固定するものである。これによれば、外断熱用外壁部材の躯体への取り付けが容易になる。
【００１１】
また、雄ねじ部の雌ねじ部への挿入の程度を調節することにより、躯体と外断熱用外壁部材との間の距離を調整することが望ましい。これによれば、複数の外断熱用外壁部材同士の不陸調整が容易になる。
【発明を実施するための最良の形態】
【００１２】
本発明の実施の形態の外断熱用外壁部材を図に基づいて説明する。
【００１３】
図１に示すように、本実施の形態の外断熱用外壁部材１は、外装部材３と外装部材３の主表面に貼り合わせられた断熱部材２とからなる。外装部材３は、酸化マグネシウムを含むかまたは酸化マグネシウムのみからなる板材であり、内部にワイヤメッシュ等の補強部材３０を有している。断熱部材２は、グラスファイバ、無機材料、またはワイヤメッシュなどが積層された構造を有している。また、断熱部材２は、有機系もしくは無機系の発泡断熱部材または繊維系の断熱部材が含まれている。
【００１４】
また、外断熱用外壁部材１は、一方の主表面から他方の主表面に向かって幅方向に延びる貫通孔１０００を有している。貫通孔１０００内には、環状の凹部１００を有する筒状部材１０が挿入されている。筒状部材１０は、その軸方向に延びる貫通孔１１０を有している。貫通孔１１０には、アンカーボルト７が挿入されている。アンカーボルト７の先端の雄ねじ部７ｂには、キャップ８の雌ねじ部８ａが螺合されている。このキャップ８は、筒状部材１０を係止することによって、外断熱用外壁部材１が外側に脱落することを防止するためのものである。
【００１５】
また、断熱部材２と筒状部材１０とは、環状の凹部１００によって互いに位置ずれが生じないように噛み合っている。また、外断熱用部材１とコンクリート躯体５とは、所定の空間４を介して設けられている。コンクリート躯体５には、穴５ａが開けられ、穴５ａにはインサート部材６が挿入されている。インサート部材６の先端には樹脂部材９が設けられている。インサート部材６と樹脂部材９とによってアンカーが構成されている。樹脂部材９は、インサート部材６の挿入の度合いに応じて弾性変形する。インサート部材６は、その軸方向に延びる貫通孔６０を有している。貫通孔６０には雌ねじ部６ａが設けられている。アンカーボルト７の雄ねじ部７ａは、インサート部材６の雌ねじ部６ａに螺合している。
【００１６】
本実施の形態の外断熱用部材１の取付時には、図２に示すように、アンカーボルト７の雄ねじ部７ａとインサート６の雌ねじ部６ａとの螺合の状態を調節することにより、すなわち、ねじの締め付け具合によって、外断熱用外壁部材１とコンクリート躯体５との間の空間４の幅Ｓ（Ｓ’）が調節される。したがって、複数の外断熱用外壁部材１がコンクリート躯体５の表面に沿って並んで設けられるときに、複数の外断熱用外壁部材１同士の表面が同一の平面上になければ、アンカーボルト７の雄ねじ部７ａとインサート６の雌ねじ部６ａとの位置関係の調整によって、複数の外断熱用外壁部材１同士の表面の不陸調整をすることが可能である。
【００１７】
また、本実施の形態の外断熱用外壁部材１が用いられた外断熱構造においては、外装部材３に酸化マグネシウムが主成分として含まれているため、耐火性、耐久性および軽量性の３つの観点において従来の珪酸カルシウム板を用いる外断熱構造よりも優れたものである。また、断熱部材２は、有機系もしくは無機系の発泡断熱部材または繊維系の断熱部材であるため、断熱部材の選択の幅は非常に広いものである。
【００１８】
前述の実施の形態の外断熱用外壁部材は、図３に示すように、複数（たとえば、２４）の取付部材によってコンクリート躯体へ取付けられている。なお、前述のアンカーボルト７は、鋼製部材であるため、温度が上昇し易いため、アンカーボルト７に接触しているかまたは近い位置にある部材、すなわち、キャップ８、筒状部材１０、樹脂部材９、およびインサート６は、耐熱性を有する部材からなることが望ましい。
【００１９】
なお、今回開示された実施の形態はすべての点で例示であって制限的なものではないと考えられるべきである。本発明の範囲は上記の説明ではなく特許請求の範囲によって示されて特許請求の範囲と均等の意味および範囲内でのすべての変更が含まれていることが意図される。
【図面の簡単な説明】
【００２０】
【図１】実施の形態の外断熱用外壁部材およびその取付方法を説明するための図である。
【図２】実施の形態の外断熱用外壁部材およびその取付方法を説明するための図である。
【図３】実施の形態の外断熱用外壁部材のコンクリート躯体への取付状態を示す斜視図である。
【符号の説明】
【００２１】
１  外断熱用外壁部材、２  断熱部材、３  外装部材、４  空間、５  コンクリート躯体、６  インサート部材、６ａ  雌ねじ部、７  アンカーボルト、７ａ  雄ねじ部、８  キャップ、１０  筒状部材、１００  凹部。
【図１】
2006183341.tif 000003
【図２】
2006183341.tif 000004
【図３】
2006183341.tif 000005